(57)【特許請求の範囲】
【請求項１】
軸体の先端に筆記部を有してなる筆記具本体と、前記筆記部及び軸体の基端部を挿嵌し得るキャップ孔が基端に開口するキャップ部を備えたキャップ体を備えてなるキャップ付筆記具であって、
前記キャップ体は、基端側にキャップ部を有し、そのキャップ部の一定方向厚みのうち一方側に偏った位置における先端側にクリップ部を有し、キャップ体の先端側のうち前記一定方向厚みにおける他方側は切欠状部に形成されており、
前記クリップ部は、先端側に固定端を、基端側に自由端を有し、前記一定方向に開閉し得るクリップ片を、クリップ部のうち前記一方側に有することを特徴とするキャップ付筆記具。
【請求項２】
クリップ片がほぼ平板からなる舌片状をなす請求項１記載のキャップ付筆記具。
【請求項３】
クリップ部が、外枠状部分と、ほぼ平板からなる舌片状をなすクリップ片を有してなり、
前記クリップ片は、前記外枠状部分の先端側部に固定端が固定され、固定端以外の外周部が前記外枠状部分の内周部に近接して位置するものである請求項２記載のキャップ付筆記具。
【請求項４】
切欠状部が、キャップ部の一定方向厚みのうち３割以上を占める請求項１、２又は３記載のキャップ付筆記具。
【請求項５】
切欠状部が、キャップ部の一定方向厚みのうち５割以上を占める請求項１、２又は３記載のキャップ付筆記具。
【請求項６】
キャップ体の全長が筆記具本体の全長の５０乃至１００％である請求項１乃至５の何れかに記載のキャップ付筆記具。
【請求項７】
クリップ部の長さがキャップ部の長さの５０乃至２００％である請求項１乃至６の何れかに記載のキャップ付筆記具。
【請求項８】
軸体の先端に筆記部を有してなる筆記具本体における前記筆記部及び軸体の基端部を挿嵌し得るキャップ孔が基端に開口するキャップ部を備えたキャップ体であって、
基端側にキャップ部を有し、そのキャップ部の一定方向厚みのうち一方側に偏った位置における先端側にクリップ部を有し、先端側のうち前記一定方向厚みにおける他方側は切欠状部に形成されており、
前記クリップ部は、先端側に固定端を、基端側に自由端を有し、前記一定方向に開閉し得るクリップ片を、クリップ部のうち前記一方側に有することを特徴とする筆記具用キャップ体。
【発明の詳細な説明】
【０００１】
【発明の属する技術分野】
本発明は、キャップにクリップ部を備えたキャップ付筆記具及び筆記具用キャップ体に関する。
【０００２】
【従来の技術及び発明が解決しようとする課題】
キャップにクリップ部を備えた従来のキャップ付筆記具（例えば各種インクのボールペン）においては、キャップの側部にクリップ部が突設されている。
【０００３】
キャップは筆記具本体よりも太いものとならざるを得ないので、そのクリップ部は、筆記具本体から見て更に外方に位置することとなり、クリップ部自体が嵩張ると共に、クリップ部に手帳の表紙等やカード類を挟んだ場合に、キャップ及び筆記具本体が大きく張り出して嵩張った状態となっていた。
【０００４】
このようにクリップ部に手帳の表紙等やカード類を挟んだ状態で、キャップを上に位置させてズボンやシャツ等の衣服やかばん類のポケット部に収容した場合、ポケット部の上部に位置するキャップが最も嵩張るので、ポケット部における収まりが悪く、筆記具及びクリップ部で挟んだ手帳やカードなどの脱落を引き起こすことにもなっていた。
【０００５】
本発明は、従来技術に存した上記のような課題に鑑み行われたものであって、その目的とするところは、クリップ部並びにキャップ体及び筆記具本体が嵩張らず、手帳の表紙等やカードをクリップ部で挟んだ状態で衣服やかばん類のポケット部に収容した場合に収まりが良くて筆記具及びクリップ部で挟んだ手帳やカードなどの脱落を防ぐことができるキャップ付筆記具及びその筆記具用キャップ体を提供することにある。
【０００６】
【課題を解決するための手段】
上記目的を達成する本発明のキャップ付筆記具は、
軸体の先端に筆記部を有してなる筆記具本体と、前記筆記部及び軸体の基端部を挿嵌し得るキャップ孔が基端に開口するキャップ部を備えたキャップ体を備えてなるキャップ付筆記具であって、
前記キャップ体は、基端側にキャップ部を有し、そのキャップ部の一定方向厚みのうち一方側に偏った位置における先端側にクリップ部を有し、キャップ体の先端側のうち前記一定方向厚みにおける他方側は切欠状部に形成されており、
前記クリップ部は、先端側に固定端を、基端側に自由端を有し、前記一定方向に開閉し得るクリップ片を、クリップ部のうち前記一方側に有することを特徴とする。
また本発明の筆記具用キャップ体は、
軸体の先端に筆記部を有してなる筆記具本体における前記筆記部及び軸体の基端部を挿嵌し得るキャップ孔が基端に開口するキャップ部を備えたキャップ体であって、
基端側にキャップ部を有し、そのキャップ部の一定方向厚みのうち一方側に偏った位置における先端側にクリップ部を有し、先端側のうち前記一定方向厚みにおける他方側は切欠状部に形成されており、
前記クリップ部は、先端側に固定端を、基端側に自由端を有し、前記一定方向に開閉し得るクリップ片を、クリップ部のうち前記一方側に有することを特徴とする。
【０００７】
キャップ体は、基端側にキャップ部を有し、先端側にクリップ部を有するので、キャップ部の一定方向厚み内（すなわち軸線に直交する一定方向の厚み内）にクリップ部が存在するものとすることができる。そのため、クリップ部がキャップ部の一定方向厚みよりも嵩張ることがない。
【０００８】
また、クリップ部はキャップ体の先端側においてキャップ部の一定方向厚みのうち一方側に偏った位置に存在し、クリップ部のクリップ片は、先端側に固定端を、基端側に自由端を有し、前記一定方向に開閉し得るものである。そのため、キャップ部に軸体の筆記部を挿嵌した不使用状態で、手帳の表紙等、カード類、衣服やかばん類のポケット部やペン差し部等の略シート状対象物をクリップ部で挟んだ場合に、キャップ体及び筆記具本体がそれらの略シート状対象物にほぼ沿った状態となり、この点においても嵩張らない。
【０００９】
而も、キャップ体の先端側のうち前記一定方向厚みにおける他方側は切欠状部に形成されているので、手帳の表紙等やカード類をクリップ部で挟んだ状態で、キャップ体を上に位置させてズボンやシャツ等の衣服やかばん類のポケット部に収容した場合、クリップ部の切欠状部が、前記一定厚み方向において手帳やカードとは逆の側に位置する。そのため、この切欠状部をポケット部の上部外側部において前記一定方向厚みの方向に押さえることとなり、手帳の表紙等やカード類をクリップ部で挟んだ状態において収まりが良く、筆記具及びクリップ部で挟んだ手帳やカードなどの脱落を防ぐことができる。特に、ポケット内で外側に筆記具を位置させて収容した場合、より収まりが良く、筆記具及びクリップ部で挟んだ手帳やカードなどの脱落をより一層防ぐことができる。
【００１０】
また、キャップ体が基端側にキャップ部を有するので、キャップ部に軸体の基端部を挿嵌して筆記に用いる場合に、筆記具の全長が、筆記具本体の長さとキャップ部の長さに加えてクリップ部の長さを加えたものとなる。これにより、筆記使用上全長が短いことによる使い難さを回避することもできる。
【００１１】
筆記具本体を構成する軸体は、軸心がほぼ直線状をなすものであることが好ましい。筆記具本体としては、例えば、油性インク、水性インク、ゲルインク等の各種インクのボールペン、マーキングペン等とすることができ、特に限定されるものではない。軸体の先端に有する筆記部は、筆記具の種類に応じたペン先部等である。ボールペン等の場合、芯を交換して使用できるものとすることもできる。
【００１２】
キャップ体のキャップ部は、筆記具不使用時に筆記部本体を構成する軸体の先端の筆記部を（通常の場合同軸状に）挿嵌して筆記部のインク等により種々の物品等を汚損することや筆記部が乾燥することなどを防ぐ。また筆記具不使用時においては、キャップ体のクリップ部に手帳の表紙等、カード類、衣服やかばん類のポケット部やペン差し部等の略シート状対象物を挟むことにより筆記具を固定しておくことができる。一方筆記具使用時には、軸体の基端部をキャップ部に挿嵌してキャップ体を（通常の場合同軸状に）固定しておくことができる。
【００１３】
クリップ片は、クリップ部の先端側に固定端を、基端側に自由端を有し、前記一定方向（その一定方向におけるキャップ部の厚みのうち一方側に偏った位置における先端側にクリップ部が存在する。）に開閉し得る。クリップ片は、筆記具を厚紙や布地等のシート状物を挟み得る程度に例えば弾性的に開閉し得るものであればよい。完全に閉じることや、大きく開くことを必要とするものではない。
【００１４】
クリップ部におけるクリップ片は、ほぼ平板からなる舌片状をなすものとすることが好ましい。クリップ片をほぼ平板からなる舌片状にすると、キャップ部に軸体の筆記部を挿嵌した不使用状態で、手帳の表紙等、カード類、衣服やかばん類のポケット部やペン差し部等の略シート状対象物をクリップ部で挟んだ場合に、その挟持安定性が増す。
【００１５】
クリップ部は、外枠状部分と、ほぼ平板からなる舌片状をなすクリップ片を有してなり、前記クリップ片は、前記外枠状部分の先端側部に固定端が固定され、固定端以外の外周部が前記外枠状部分の内周部に近接して位置するものとすることができる。
【００１６】
キャップ体は、例えば、その全長が筆記具本体の全長の５０乃至１００％であるものとすることができる。また、クリップ部の長さは、キャップ部の長さの５０乃至２００％であるものとすることができる。キャップ部に軸体の基端部を挿嵌してキャップ体を固定した状態で筆記に用いる場合に、筆記具の全長が、筆記具本体の長さとキャップ部の長さに加えてクリップ部の長さを加えたものとなることにより、筆記使用の際の全長をより効果的に長くすることができる。
【００１７】
キャップ部の一定方向厚みのうち一方側に偏った位置における先端側にクリップ部を有し、キャップ体の先端側のうち前記一定方向厚みにおける他方側は切欠状部に形成されている。すなわちキャップ体の先端側は、一定方向厚みのうち一方側に偏ったクリップ部の厚みのみに、薄く形成されている。この切欠状部は、キャップ部の一定方向厚みのうち３割以上（例えば５割未満）を占めるものとすることができる。また、この切欠状部は、キャップ部の一定方向厚みのうち５割以上（例えば７割以下）を占めるものとすることができる。この場合、キャップ部に軸体の筆記部を挿嵌してキャップ体を固定した不使用時に、手帳の表紙等やカード類をクリップ部で挟んだ状態で、クリップ部を上に位置させてズボンやシャツ等の衣服やかばん類のポケット部に収容した場合に、ポケット部内における収まりが一層良く、筆記具及びクリップ部で挟んだ手帳やカードなどの脱落をより一層防ぐことができる。
【００１８】
【発明の実施の形態】
本発明の実施の形態を、図面を参照しつつ説明する。
【００１９】
図面は何れも本発明のキャップ付筆記具及び筆記具用キャップ体の実施の形態の一例についてのものである。図１は左側面図、図２は、クリップ部に手帳の表紙等を挟んで筆記具を手帳に固定した状態でポケットに収容した状態の左側面図、図３は右側要部拡大断面図、図４は使用状態の側面図、図５は正面図、図６は背面図である。
【００２０】
このキャップ付筆記具は、軸心がほぼ直線状をなす軸体１０の先端に筆記部１０ａを有してなるゲルインクボールペンの筆記具本体Ｗと、筆記部１０ａ及び軸体１０の基端部を挿嵌し得るキャップ孔１２ａが基端に開口するキャップ部１２を備えたキャップ体Ｃからなる。
【００２１】
キャップ体Ｃは、図３に詳細に示されるように、基端側（図１及び図３における下側）にキャップ部１２を有し、そのキャップ部１２の前後方向厚み（図１及び図３における左右方向厚み）のうち前側（図１における右側、図３における左側）に偏った位置における先端側（図１及び図３における上側）にクリップ部１４を有し、キャップ体Ｃの先端側のうち前後方向厚みにおける後側（約５割の厚み）は切欠状部１６に形成されている。すなわちキャップ体Ｃの先端側は、前後方向厚みのうち前側に偏ったクリップ部１４の厚みのみに、薄く形成されている。
【００２２】
クリップ部１４は、外枠状部分１４ａと、ほぼ平板からなる舌片状をなすクリップ片１４ｂを有する。
【００２３】
外枠状部分１４ａは、正面にほぼ平行であり、従って側面視においてほぼ一定横幅（キャップ部１２の前後方向中央から前側の３／５程度の幅）の上下方向帯状部内に位置する。外枠状部分１４ａの外周形状は、左右辺がややふくらんだ長方形状をなし、内周形状は、基端側において湾曲した略Ｕ字形状をなす。
【００２４】
クリップ片１４ｂは、上端基部が外枠状部分１４ａの上部に固定され、下端端部が湾曲した略Ｕ字形状をなす自由端であり、上端基部以外の外周部が外枠状部分１４ａの内周部に近接して位置する。そのクリップ片１４ｂは、外枠状部分１４ａの前面のやや前側において、その前面に平行状をなす。このクリップ片１４ｂは、無負荷状態では閉じており、前方向力により前方に開き得、前方向力解除により弾性力により元の閉じた状態に戻る。閉じた状態のクリップ片１４ｂの厚みは、キャップ部１２の厚みのうちキャップ部１２の前面から後方に１．５割程度を占める。
【００２５】
クリップ片１４ｂの湾曲した下端端部は、下端に向かって厚みが減少するように後面が傾斜状部１４ｃに形成されており、クリップ片１４ｂの後面における傾斜状部からやや上方位置の中央部に、やや横長の小突部１４ｄが形成されている。クリップ片１４ｂの上端基部の前面側は、上端に向かって外枠状部分１４ａの前面へ傾斜している。
【００２６】
外枠状部分１４ａの上部後側の中央部には、上下方向（軸心方向）の使用者の首に吊るための紐等を挿通するための紐孔１８ａを備えた紐孔突部１８が設けられている。
【００２７】
キャップ体Ｃのキャップ部１２の先端部（図１及び図３における上部）は、前後方向厚みがやや減少すると共に左右方向幅がやや増大している。キャップ部１２には、筆記具不使用時に筆記部１０ａ本体を構成する軸体１０の先端の筆記部１０ａを同軸状に挿嵌する。筆記具使用時には、軸体１０の基端部をキャップ部１２に挿嵌してキャップ体Ｃを同軸状に固定しておくことができる。
【００２８】
キャップ体Ｃは、基端側（図１及び図３における下側）にキャップ部１２を有し、先端側（図１及び図３における上側）にクリップ部１４を有するので、キャップ部１２の一定方向厚み内（すなわち軸線に直交する一定方向の厚み内）にクリップ部１４が存在するものとすることができる。そのため、クリップ部１４がキャップ部１２の前後方向厚み（図１及び図３における左右方向厚み）よりも嵩張ることがない。
【００２９】
また、クリップ部１４はキャップ体Ｃの先端側においてキャップ部１２の前後方向厚み（図１及び図３における左右方向厚み）のうち前側（図１における右側、図３における左側）に偏った位置における先端側（図１及び図３における上側）に存在し、クリップ片１４ｂは、上端基部が外枠状部分１４ａの上部に固定され、下端端部が湾曲した略Ｕ字形状をなす自由端であり、前後方向に開閉し得るものである。そのため、キャップ部１２に軸体１０の筆記部１０ａを挿嵌した不使用状態で、手帳の表紙等、カード類、衣服やかばん類のポケット部やペン差し部等の略シート状対象物をクリップ部１４で挟んだ場合に、キャップ体Ｃ及び筆記具本体Ｗがそれらの略シート状対象物にほぼ沿った状態となり、この点においても嵩張らない。
【００３０】
而も、キャップ体Ｃの先端側のうち前後方向厚みにおける後側（約５割の厚み）は切欠状部１６に形成されているので、図２に示されるように手帳Ｍの表紙をクリップ部１４で挟んだ状態で、キャップ体Ｃを上に位置させ、外側に筆記具を位置させてズボンやシャツ等の衣服やかばん類のポケット部Ｐに収容した場合、クリップ部１４の切欠状部１６が、前後厚み方向において手帳Ｍとは逆の側に位置する。そのため、この切欠状部１６をポケット部Ｐの上部外側部Ｐ１において前後方向厚みの方向に押さえることとなり、手帳Ｍの表紙をクリップ部１４で挟んだ状態においてポケット部Ｐ内における収まりが良く、筆記具及びクリップ部１４で挟んだ手帳Ｍの脱落を防ぐことができる。また、クリップ片１４ｂがほぼ平板からなる舌片状なので、キャップ部１２に軸体１０の筆記部１０ａを挿嵌した不使用状態で、手帳Ｍの表紙をクリップ部１４で挟んだ場合に、その挟持安定性が増す。
【００３１】
また、キャップ体Ｃが基端側（図１及び図３における下側）にキャップ部１２を有し、先端側（図１及び図３における上側）にクリップ部１４を有するので、図４に示すようにキャップ部１２に軸体１０の基端部を挿嵌して筆記に用いる場合に、筆記具の全長が、筆記具本体Ｗの長さとキャップ部１２の長さに加えてクリップ部１４の長さを加えたものとなる。これにより、筆記使用上全長が短いことによる使い難さを回避することもできる。なお、キャップ体Ｃは、その全長が筆記具本体Ｗの全長の約７０％であり、クリップ部１４の長さは、キャップ部１２の長さの約１１０％である。そのため、キャップ部１２に軸体１０の基端部を挿嵌してキャップ体Ｃを固定した状態で筆記に用いる場合に、全長を効果的に長くすることができる。
【００３２】
なお、以上の実施の形態についての記述における上下位置関係は、単に図に基づいた説明の便宜のためのものであって、実際の使用状態等を限定するものではない。また、課題を解決するための手段の項において本発明について述べた例示及び数値範囲を含む説明は、原則として以上の実施の形態についての記述に適用される。
【００３３】
【発明の効果】
本発明のキャップ付筆記具及び筆記具用キャップ体によれば、クリップ部がキャップ部の一定方向厚みよりも嵩張ることがなく、キャップ部に軸体の筆記部を挿嵌した不使用状態で略シート状対象物をクリップ部で挟んだ場合に、キャップ体及び筆記具本体がそれらの略シート状対象物にほぼ沿った状態となり、この点においても嵩張らない。
【００３４】
而も、手帳の表紙等やカード類をクリップ部で挟んだ状態で、キャップ体を上に位置させてズボンやシャツ等の衣服やかばん類のポケット部に収容した場合、クリップ部の切欠状部をポケット部の上部において押さえることとなるので、収まりが良く、筆記具及びクリップ部で挟んだ手帳やカードなどの脱落を防ぐことができる。
【００３５】
また、キャップ部に軸体の基端部を挿嵌して筆記に用いる場合に、筆記具の全長が、筆記具本体の長さとキャップ部の長さに加えてクリップ部の長さを加えたものとなるので、筆記使用上全長が短いことによる使い難さを回避することもできる。
【図面の簡単な説明】
【図１】左側面図である。
【図２】クリップ部に手帳の表紙を挟んで筆記具を手帳に固定した状態でポケットに収容した状態の左側面図である。
【図３】右側要部拡大断面図である。
【図４】使用状態の側面図である。
【図５】正面図である。
【図６】背面図である。
【符号の説明】
１０    軸体
１０ａ  筆記部
１２    キャップ部
１２ａ  キャップ孔
１４    クリップ部
１４ａ  外枠状部分
１４ｂ  クリップ片
１４ｃ  傾斜状部
１４ｄ  小突部
１６    切欠状部
１８    紐孔突部
１８ａ  紐孔
Ｃ      キャップ体
Ｍ      手帳
Ｐ      ポケット部
Ｐ１    上部外側部
Ｗ      筆記具本体
【図１】
0003943434.tif 000002
【図２】
0003943434.tif 000003
【図３】
0003943434.tif 000004
【図４】
0003943434.tif 000005
【図５】
0003943434.tif 000006
【図６】
0003943434.tif 000007